(57)【要約】【課題】ユーザにおける照明制御のスケジュール入力の労力を軽減するとともに設定ミスを抑制する照明制御システムを提供する。【解決手段】照明制御システム１は、施設運用に関する複数の日付期間及びその各々に対する施設運用時刻をユーザ入力に基づいて設定する施設運用設定部３１と、選択日付期間について施設運用時刻の前又は後に実行される照明制御工程の制御内容をユーザ入力に基づいて設定し、当該制御内容を残余の日付期間における対応の照明制御工程に反映する制御内容設定部３３と、選択日付期間について施設運用時刻に対する照明制御工程実行の相対時間をユーザ入力に基づいて設定する相対時間設定部３４と、全日付期間について施設運用時刻に対する相対時間の加算又は減算によって照明制御工程の制御予定時刻を決定する制御時刻決定部３５と、制御予定時刻において、制御内容を実行するための照明制御信号を生成する制御信号生成部３６を含む。【選択図】  図１
2018063849.tif 000002
【特許請求の範囲】
【請求項１】
照明制御システムであって、
施設運用に関する複数の日付期間及び該複数の日付期間の各々に対する施設運用時刻をユーザ入力に基づいて設定する施設運用設定部と、
前記複数の日付期間のうちの選択された日付期間について前記施設運用時刻の前又は後に実行される照明制御工程の制御内容をユーザ入力に基づいて設定し、当該制御内容を残余の日付期間における対応の照明制御工程に反映する制御内容設定部と、
前記選択された日付期間について、前記施設運用時刻に対する前記照明制御工程実行の相対時間をユーザ入力に基づいて設定する相対時間設定部と、
前記複数の日付期間のすべてについて、前記施設運用時刻に対する前記相対時間の加算又は減算によって前記照明制御工程の制御予定時刻を決定する制御時刻決定部と、
前記制御予定時刻において、前記制御内容を実行するための照明制御信号を生成する制御信号生成部と
を備えた照明制御システム。
【請求項２】
前記施設運用時刻が変更された場合に、前記制御時刻決定部が、変更後の前記施設運用時刻に対する前記相対時間の加算又は減算によって、変更された前記施設運用時刻に関する前記照明制御工程の前記制御予定時刻を再決定するように構成された、請求項１に記載の照明制御システム。
【請求項３】
前記複数の日付期間が１年を分割した第１から第ｎの日付期間からなり、前記施設運用設定部が、
前記第１の日付期間の開始日が入力された場合に、前記第１の日付期間の開始日の月日から１日を減算した月日を前記第ｎの日付期間の終了日として自動設定するように構成され、又は
前記第ｎの日付期間の終了日が入力された場合に、前記第ｎの日付期間の終了日の月日に１日を加算した月日を前記第１の日付期間の開始日として自動設定するように構成された、請求項１又は２に記載の照明制御システム。
【請求項４】
前記複数の日付期間が第１から第ｎの日付期間からなり、前記施設運用設定部が、
第ｋ（１≦ｋ≦ｎ−１）の日付期間の終了日が入力された場合に、前記第ｋの日付期間の終了日の月日に１日を加算した月日を第ｋ＋１の日付期間の開始日に自動設定するように構成され、又は
第ｋ＋１の日付期間の開始日が入力された場合に、前記第ｋ＋１の日付期間の開始日の月日から１日を減算した月日を第ｋの日付期間の終了日に自動設定するように構成された、請求項１から３のいずれか一項に記載の照明制御システム。
【請求項５】
前記複数の日付期間が１年を分割した複数期間に日付期間であり、最大４期間の日付期間が設定可能に構成された、請求項１から４のいずれか一項に記載の照明制御システム。
【請求項６】
前記施設運用時刻が、前記施設運用の開始時刻及び終了時刻からなる、請求項１から５のいずれか一項に記載の照明制御システム。
【請求項７】
前記複数の日付期間の各々について、前記施設運用時刻並びに前記照明制御工程に対する前記制御予定時刻及び前記制御内容を表示部に出力する制御情報出力部をさらに備えた請求項１から６のいずれか一項に記載の照明制御システム。
【請求項８】
前記制御情報出力部が、前記制御予定時刻及び前記制御内容の複数の組を前記表示部に出力する場合に、前記表示部上で前記制御予定時刻が上部から昇順となるように前記制御予定時刻及び前記制御内容の組をソートするように構成された、請求項７に記載の照明制御システム。
【請求項９】
ユーザ入力に基づいて前記施設の非利用日を設定する休日表示設定部をさらに備え、前記非利用日に対する照明制御工程が設定されないように構成された、請求項１から８のいずれか一項に記載の照明制御システム。
【請求項１０】
ユーザ入力に基づいて前記施設の非利用日を設定する休日表示設定部をさらに備え、
前記施設運用設定部が前記非利用日における所定時刻をユーザ入力に基づいて設定し、前記制御内容設定部が、前記所定時刻に実行される制御内容をユーザ入力に基づいて設定するように構成された、請求項１から８のいずれか一項に記載の照明制御システム。
【請求項１１】
コンピュータを、請求項１から１０のいずれか一項に記載の照明制御システムが備える各部として機能させるためのプログラム。
【請求項１２】
請求項１１に記載されたプログラムが記憶されたコンピュータ可読記憶媒体。  
【発明の詳細な説明】
【技術分野】
【０００１】
本発明は、照明制御システム及びそれに用いる照明制御プログラムに関する。
【背景技術】
【０００２】
特許文献１の照明システムは照明器具、照明制御装置及びシステム制御装置を備え、システム制御装置はタイマ、スケジュール情報を記憶するためのスケジュール記憶部、通信部、及びカウンタ値に示される時刻に対応付けられた指示を含む制御情報を通信部に送信させる指示制御部を有する。また、システム制御装置は、時間帯ごとのモードを指定するスケジュール情報、及び期間ごとの各モードで用いられるパラメータを指定するパラメータ情報を有し、これにより、例えば同一モードにおいて季節ごとにその季節に適したパラメータが照明制御装置に与えられる。より具体的には、あるパラメータ情報において、朝の時間帯に実行される所定モードにおける調光率が、１２月〜翌年３月の期間（冬期間）では８０％に設定され、４月〜１１月の期間（春−秋期間）では７０％に設定される。
【先行技術文献】
【特許文献】
【０００３】
【特許文献１】特開２０１６−１４９２１５号公報
【発明の概要】
【発明が解決しようとする課題】
【０００４】
しかし、上記のような照明システムでは、例えば、季節等の設定期間ごとの照明制御に関して多数の要素からなるスケジュール情報、パラメータ等の各々をユーザ入力する必要があり、その設定入力作業が煩雑となる。また、ユーザによる入力作業が多いと設定ミスが発生し易くなるという問題もある。特に照明の用途によっては、その点灯／消灯の設定ミスは、その照明システムが導入される施設の使用を著しく制限してしまうため、回避されるべきである。
【０００５】
そこで、本発明は、ユーザにおける照明制御のスケジュール入力の労力を軽減するとともに設定ミスを抑制する照明制御システムを提供することを課題とする。
【課題を解決するための手段】
【０００６】
本開示の、照明制御システムは、施設運用に関する複数の日付期間及びその複数の日付期間の各々に対する施設運用時刻をユーザ入力に基づいて設定する施設運用設定部と、選択された日付期間について施設運用時刻の前又は後に実行される照明制御工程の制御内容をユーザ入力に基づいて設定し、その制御内容を残余の日付期間における対応の照明制御工程に反映する制御内容設定部と、上記選択された日付期間について、施設運用時刻に対する照明制御工程実行の相対時間をユーザ入力に基づいて設定する相対時間設定部と、複数の日付期間のすべてについて、施設運用時刻に対する相対時間の加算又は減算によって照明制御工程の制御予定時刻を決定する制御時刻決定部と、制御予定時刻において、制御内容を実行するための照明制御信号を生成する制御信号生成部とを備える。
【０００７】
上記構成によると、日付期間、施設運用時刻、並びに日付期間のいずれかにおける照明制御工程の制御内容及び相対時間（施設運用時刻と制御予定時刻の差分）をユーザが入力するだけで、すべての日付期間に対するスケジュール入力が完了する。したがって、ユーザにおける照明制御のスケジュール入力の労力を軽減するとともに設定ミスを抑制する照明制御システムが実現される。
【０００８】
ここで、施設運用時刻が変更された場合に、制御時刻決定部が、変更後の施設運用時刻に対する相対時間の加算又は減算によって、変更された施設運用時刻に関する照明制御工程の制御予定時刻を再決定するように構成される。これにより、ユーザが変更に係る施設運用時刻を入力するだけで、その他の入力操作を要さずに各照明制御工程に対する制御予定時刻が再決定される。したがって、スケジュール変更時においても、ユーザにおけるスケジュール入力の労力が軽減されるとともに設定ミスが回避される。
【０００９】
また、複数の日付期間が１年を分割した第１から第ｎの日付期間からなり、施設運用設定部が、第１の日付期間の開始日が入力された場合に、第１の日付期間の開始日の月日から１日を減算した月日を第ｎの日付期間の終了日として自動設定するように構成され、又は第ｎの日付期間の終了日が入力された場合に、第ｎの日付期間の終了日の月日に１日を加算した月日を第１の日付期間の開始日として自動設定するように構成されることが好ましい。これによると、日付期間全体の終端と始端との連続性が自動的に確保されるので、ユーザ入力の労力が軽減されるとともに、最終日付期間と翌日付期間の間に空白期間又は重複期間が生じてしまう等の入力ミスが回避される。
【００１０】
また、複数の日付期間が第１から第ｎの日付期間からなり、施設運用設定部が、第ｋ（１≦ｋ≦ｎ−１）の日付期間の終了日が入力された場合に、第ｋの日付期間の終了日の月日に１日を加算した月日を第ｋ＋１の日付期間の開始日に自動設定するように構成され、又は第ｋ＋１の日付期間の開始日が入力された場合に、第ｋ＋１の日付期間の開始日の月日から１日を減算した月日を第ｋの日付期間の終了日に自動設定するように構成されることが好ましい。これによると、隣接期間の終端と始端との連続性が自動的に確保されるので、ユーザ入力の労力が軽減されるとともに、隣接日付期間の間に空白期間又は重複期間が生じてしまう等の入力ミスが回避される。
【００１１】
また、複数の日付期間が１年を複数期間に分割した日付期間であり、最大４期間の日付期間が設定可能に構成されることが好ましい。これにより、四季に応じたスケジュール設定、学期に応じたスケジュール設定、夏季及び冬季に応じたスケジュール設定、各スポーツ種目のシーズンに応じたスケジュール設定等が作成可能となり、照明制御システムの汎用性及び柔軟性が得られる。
【００１２】
施設運用時刻は、施設運用の開始時刻及び終了時刻からなるものであればよい。これにより、運用開始の時間帯及び運用終了の時間帯のそれぞれに照明制御工程が集中するスケジュールに対する高い設定効率が得られる。
【００１３】
またさらに、複数の日付期間の各々について、施設運用時刻並びに照明制御工程に対する制御予定時刻及び制御内容を表示部に出力する制御情報出力部が設けられる。これにより、各日付期間における照明制御のスケジュールの一覧性が得られる。
【００１４】
また、制御情報出力部が、制御予定時刻及び制御内容の複数の組を表示部に出力する場合に、表示部上で制御予定時刻が上部から昇順となるように制御予定時刻及び制御内容の組をソートするように構成されることが好ましい。このような制御予定時刻を昇順に並べる自動ソートによって、ユーザの入力作業における利便性が増すとともに、表示部における表示内容の視認性が向上する。
【００１５】
また、ユーザ入力に基づいて施設の非利用日を設定する休日表示設定部がさらに設けられ、非利用日に対する照明制御工程が設定されないように構成されてもよい。これにより、非利用日前日の照明制御状態が非利用日翌日まで確実に維持され、例えば無駄な点灯が回避される。
【００１６】
あるいは、ユーザ入力に基づいて施設の非利用日を設定する休日表示設定部がさらに設けられ、施設運用設定部が非利用日における所定時刻をユーザ入力に基づいて設定し、制御内容設定部が、所定時刻に実行される制御内容をユーザ入力に基づいて設定するように構成されてもよい。このように、非利用日用の照明制御のスケジュールを設定可能とすることによって柔軟な施設の利用が可能となる。
【００１７】
本発明は、コンピュータを、上記のいずれかに記載の照明制御システムが備える各部として機能させるための照明制御プログラムを含む。さらに、本発明は、この照明制御プログラムが記憶されたコンピュータ可読記憶媒体を含む。
【図面の簡単な説明】
【００１８】
【図１】本発明の実施形態による照明制御システムを示すブロック図である。
【図２】実施形態における施設運用時刻設定画面を示す図である。
【図３Ａ】実施形態における施設運用時間管理画面を示す図である。
【図３Ｂ】実施形態における施設運用時間管理画面を示す図である。
【図３Ｃ】実施形態における施設運用時間管理画面を示す図である。
【図３Ｄ】実施形態における施設運用時間管理画面を示す図である。
【図４】実施形態における施設運用スケジュール設定／編集画面を示す図である。
【図５】実施形態における施設運用スケジュール時間設定画面を示す図である。
【図６】実施形態における休日表示／設定画面を示す図である。
【発明を実施するための形態】
【００１９】
＜実施形態＞
図１に、本発明の実施形態による照明制御システム１のブロック図を示す。照明制御システム１は照明器具２−１〜２−ｎを制御するためのものであり、照明器具２−１〜２−ｎは、例えば、体育館、グランド施設、競技場等の各種施設の照明器具である。本実施形態では、照明器具２−１〜２−ｎが設置される施設は体育館であるものとし、照明器具２−１は体育館内照明であり、照明器具２−２は外灯であり、照明器具２−３は看板である。なお、照明器具２−１〜２−ｎを総称して、又はいずれか１つを代表して照明器具２ともいう。
【００２０】
照明制御システム１は、表示部１０、入力部２０、処理部３０、記憶部４０及び通信部５０を備える。表示部１０は、液晶画面等の表示画面である。入力部２０は、キーボード、マウス等であり、又は表示部１０がタッチパネル画面である場合の画面である。なお、本開示において、ユーザとは、照明制御システム１（入力部２０）の操作者のことをいう。また、ユーザ入力とは、入力部２０を介したユーザによる入力のことをいうものとする。
【００２１】
通信部５０と照明器具２とは相互に通信線Ｌによって接続される。通信線Ｌは有線接続によるものであってもよいし、無線接続によるものであってもよい。通信線Ｌが有線である場合、通信プロトコルとして、例えば、ＴＣＰ／ＩＰ、ＲＳ４８５等を用いることができる。また、通信線Ｌが無線である場合、通信プロトコルとして、例えば、ＷｉＦｉ、ＺｉｇＢｅｅ（登録商標）等を用いることができる。但し、通信プロトコルはこれらに限られない。
【００２２】
処理部３０は、施設運用設定部３１、制御情報出力部３２、制御内容設定部３３、相対時間設定部３４、制御時刻決定部３５、制御信号生成部３６、休日表示設定部３７及び計時部３８を有する。処理部３０はＣＰＵ等であり、処理部３０の内部又は外部の上記各部は、相互にデータ及び信号のやりとりが可能な態様でバスＢによって相互接続される。また、処理部３０は、通常のＣＰＵが備える機能を不図示の処理手段によって適宜実行するものとする。計時部３８は、カレンダー及び時計の機能を有する。記憶部４０は、各種プログラム及びデータを記憶するように構成されたメモリである。
【００２３】
施設運用設定部３１は、施設運用に関する複数の日付期間及びその複数の日付期間の各々に対する施設運用時刻を設定するための施設運用時刻設定画面（以下、「運用設定画面」という）を表示部１０に出力し、ユーザ入力に基づいて複数の日付期間及びその各々に対する施設運用時刻を設定する。
【００２４】
図２に、運用設定画面１１を示す。運用設定画面１１には、左列から、選択チェックボックス、季節番号、各日付期間を定義する開始日及び終了日、並びに各日付期間に対する施設運用時刻である開館時刻及び閉館時刻が表示される。ユーザは、運用設定画面１１上で、開始日、終了日、開館時刻及び閉館時刻の各数値を入力することができる。
【００２５】
選択チェックボックスの選択により、最大で４期間に対する各日付及び時刻が設定可能となる。これにより、四季に応じたスケジュール設定、学期に応じたスケジュール設定、日照時間が長い夏季及び日照時間が短い冬季に応じたスケジュール設定、各スポーツ種目のシーズンに応じたスケジュール設定等が作成可能となり、照明制御システムの汎用性及び柔軟性が得られる。図２ではすべてのチェックボックスが選択されて４期間が設定されているが、例えば、４つのチェックボックスのうちの２つのチェックボックスを選択して、季節１及び季節２をそれぞれ夏半期（４月１日〜９月３０日）及び冬半期（１０月１日〜３月３１日）として設定してそれぞれの施設運用時刻を設定すること等もできる。なお、上述のように設定可能な季節の最大数は４であることが好適であるが、アプリケーションによっては設定可能な季節の最大数は２、３又は５以上であってもよい。
【００２６】
ここで、１年を分割した第１から第ｎの日付期間が選択され、第１の日付期間の開始日が入力された場合に、施設運用設定部３１が、第１の日付期間の開始日の月日から１日を減算した月日を第ｎの日付期間の終了日として自動設定するようにしてもよい。また逆に、第ｎの日付期間の終了日が入力された場合に、施設運用設定部３１が、第ｎの日付期間の終了日の月日に１日を加算した月日を第１の日付期間の開始日として自動設定するようにしてもよい。
【００２７】
例えば、図２に示すようにｎ＝４の場合で、季節１の開始日に４月１日が入力された場合には、季節４の終了日に３月３１日が自動設定される。また、例えば季節１の開始日が４月１日から５月１日に変更された場合には、季節４の終了日が３月３１日から４月３０日に自動的に変更される。これにより、例えばユーザが３月３１日から月のみを変更しつつも日の変更を失念して４月３１日のような存在しない月日が開始日又は終了日として設定されてしまうような未定義状態を防止できる。また、例えば季節１の開始日が４月１日から３月１日に変更された場合には、季節４の終了日が３月３１日から２月２８日（閏年以外）又は２月２９日（閏年）に自動的に変更される。これにより、２月末日が設定に関係する場合には閏年を確認する手間を省くことができる。また、季節４の終了日に３月３１日が入力された場合には、季節１の開始日に４月１日が自動設定される。また、季節４の終了日が３月３１日から４月７日に変更された場合には、季節１の開始日が４月１日から４月８日に自動的に変更される。
【００２８】
このように、日付期間全体の終端と始端との連続性が自動的に確保される構成により、ユーザの入力の労力が軽減されるとともに、最終日付期間と翌日付期間の間に空白期間若しくは重複期間が生じてしまうような入力ミス又は未定義状態の日付期間が設定されてしまうような入力ミスが回避される。
【００２９】
また、第１から第ｎの日付期間が選択され、第ｋ（１≦ｋ≦ｎ−１）の日付期間の終了日が入力された場合に、施設運用設定部３１が、第ｋの日付期間の終了日の月日に１日を加算した月日を第ｋ＋１の日付期間の開始日に自動設定するようにしてもよい。また逆に、第ｋ＋１の日付期間の開始日が入力された場合に、施設運用設定部３１が、第ｋ＋１の日付期間の開始日の月日から１日を減算した月日を第ｋの日付期間の終了日に自動設定するようにしてもよい。
【００３０】
例えば、図２に示すようにｎ＝４の場合で、季節２の終了日に９月３０日が入力された場合には、季節３の開始日に１０月１日が自動設定される。また、季節２の終了日が９月３０日から１０月７日に変更された場合には、季節３の開始日も１０月１日から１０月８日に自動的に変更される。また、季節３の開始日に１０月１日が入力された場合には、季節２の終了日に９月３０日が自動設定される。また、季節３の開始日が１０月１日から９月１日に変更された場合には、季節２の終了日も９月３０日から８月３１日に自動的に変更される。これによると、季節２の終了日について、例えばユーザが９月３０日から月のみを変更しつつも日の変更を失念して８月３０日が設定された結果として、８月３１日が空白となってしまうような状況を防止できる。
【００３１】
このように、隣接日付期間の終端と始端との連続性が自動的に確保される構成により、ユーザの入力の労力が軽減されるとともに、隣接日付期間の間に空白期間若しくは重複期間が生じてしまうような入力ミス又は未定義状態の日付期間が設定されてしまうような入力ミスが回避される。
【００３２】
またさらに、運用設定画面１１において、月の末日を「Ｅ」等の定義された所定文字で入力することを可能としてもよい。これにより、ユーザは、各月の末日が３０日又は３１日のどちらであるのか、あるいは設定に係る年が閏年なのか否かを考慮する必要がなくなり、設定作業の効率が向上し得る。
【００３３】
また、上述してきたように、施設運用時刻として施設運用の開始時刻及び終了時刻（本例では、開館時刻及び閉館時刻）が設定される。これにより、体育館の運用スケジュールのように朝等の運用開始の時間帯及び夜等の運用終了の時間帯のそれぞれに照明制御工程が集中するような場合に、高い設定効率が得られる。
【００３４】
制御情報出力部３２は、まず、運用設定画面１１において設定された日付期間のうちの選択された日付期間について、その時点までに決定された施設運用時刻（開館時刻及び閉館時刻）並びに各照明制御工程に対する制御予定時刻及び制御内容を示す施設運用時間管理画面（以下、「管理画面」という）を表示部１０に出力する。
【００３５】
図３Ａに、管理画面１２の一例を示す。図３Ａの管理画面１２は、運用設定画面１１によって日付期間及び施設運用時刻が設定された時点における季節２に対応する管理画面１２である。管理画面１２は、上段から季節２の開館時刻に関連するスケジュールの表１２Ａ、季節２の閉館時刻に関連するスケジュールの表１２Ｂ及び操作ボタン群１２Ｃを含む。表１２Ａ及び１２Ｂにおいて、左列から、制御番号（Ｎｏ）、照明制御工程１２１（開館時スケジュール及び閉館時スケジュール）、制御予定時刻１２２（時刻）、制御内容１２３ａ（制御１）及び制御内容１２３ｂ（制御２）が表示される。制御内容１２３ａ及び１２３ｂを総称して、又はいずれか１つを代表して制御内容１２３という。なお、図３Ａにおいては、各行に対して２個の制御内容「制御１」及び「制御２」が図示されているが、３個以上の制御内容が設定され得る（すなわち、「制御３」以降があってもよい）。また、各表について５個の照明制御工程が設定される構成が図示されているが、６個以上の照明制御工程が設定されるようにしてもよい（すなわち、開館前後及び閉館前後の一方又は両方に３個以上の照明制御工程が設定されてもよい）。
【００３６】
照明制御工程１２１は、表１２Ａにおいては、Ｎｏ．１〜５に対してそれぞれ「開館前１」、「開館前２」、「開館」、「開館後１」及び「開館後２」を含み、表１２Ｂにおいては、Ｎｏ．１〜５に対してそれぞれ「閉館前１」、「閉館前２」、「閉館」、「閉館後１」及び「閉館後２」を含む。これらは、開館又は閉館の前又は後に行われるべき照明制御の見出しとなる。また、表１２Ａ及び１２Ｂの各々のＮｏ．３の行に、運用設定画面１１での入力によって設定された開館時刻（０８時００分）及び閉館時刻（２０時００分）がそれぞれ表示される。この開館時刻及び閉館時刻は、管理画面１２上では変更されない。このように、図２の運用設定画面１１のみを入力した時点では開館時刻及び閉館時刻のみが決定されている。ユーザは、記入したい欄を選択して操作ボタン群１２Ｃの編集ボタン１２４をクリックすることによって、当該欄の編集及び設定操作を行うことができる。なお、本開示において、クリックとは、シングルクリック、ダブルクリック、選択状態でのＥｎｔｅｒキーの入力、タッチパネルの場合のタッチ等の入力操作を総称するものである。
【００３７】
制御内容設定部３３は、管理画面１２において選択された制御内容１２３の詳細を設定するための施設運用スケジュール設定／編集画面（以下、「設定編集画面」という）を表示部１０に出力する。そして、制御内容設定部３３は、各照明制御工程の制御内容１２３（制御１又は制御２）をユーザ入力に基づいて設定する。
【００３８】
図４に、設定編集画面１３の一例を示す。本例の設定編集画面１３は、閉館前２（表１２ＢのＮｏ．２）の制御１（制御内容１２３ａ）を設定する場合の画面である。設定編集画面１３は、設定編集可能な項目として、上から、種別、系統、アドレス、動作及び内容を有する。
【００３９】
図４に示すように、「種別」において、プルダウンメニューによって照明制御態様が指定される。例えば、種別には、照明器具の個別制御を示す「個別回路」、複数の照明器具のグループ制御を示す「グループ回路」、照明器具の点灯、調光又は消灯の所定シーケンスを示す「パターン」、複数の照明器具を所定の点灯率（間引き率）でかつ所定の順序で点灯（消灯）するローテーションを示す「ローテーション」、最も高い優先度での照明制御を示す「強制パターン」、照明器具の調光点灯を示す「調光」等がある。「系統」及び「アドレス」において、プルダウンメニューによって制御対象となる伝送系統及び照明器具が指定される。「動作」において、ＯＮボタン又はＯＦＦボタンの選択によって、対象となる照明制御のオン／オフが指定される。また、種別が「調光」である場合には、ＯＮ／ＯＦＦボタンの代わりに調光率入力用の欄が表示され、右上部のテンキー入力によって調光率が指定可能となる。「内容」には、照明制御の内容が示される。この「内容」の欄は、「種別」から「動作」までの指定に基づいて制御内容設定部３３によって自動入力されるようにしてもよいし、ユーザ入力によって手動入力されるようにしてもよい。
【００４０】
本例では、種別に「個別回路」が選択され、系統に「系統１」が選択され、アドレスに「１−２（看板）」が選択され、動作に「ＯＦＦ」が選択される。そして、内容は「看板消灯」となる。すなわち、閉館前２において、伝送系統１でアドレス１−２に対応する看板が消灯されることが設定される。設定編集画面１３において、右上テンキー部の登録ボタンがクリックされると、制御内容が決定される（さらに設定編集画面１３が閉じられる）。
【００４１】
相対時間設定部３４は、管理画面１２において選択された制御予定時刻１２２の数値を設定するための施設運用スケジュール時間設定画面（以下、「時間設定画面」という）を表示部１０に出力する。相対時間設定部３４は、開館時刻又は閉館時刻に対する各照明制御工程（制御Ｎｏ．１、２、４又は５）の実行タイミングの相対時間をユーザ入力に基づいて設定する。
【００４２】
図５に、時間設定画面１４の一例を示す。図４と同様に、本例の時間設定画面１４は、閉館前２（表１２ＢのＮｏ．２）の制御予定時刻１２２を設定する場合の画面である。ユーザは、右側のテンキーによって「時間」の欄に相対時間（閉館時刻−制御予定時刻）を入力することができる。本例では、時間の欄に「００時間３０分前」が入力され、閉館前２の照明制御工程として、閉館時刻の３０分前に制御内容１２３が行われることが設定される。時間設定画面１４において、右側テンキー部の登録ボタンがクリックされると、相対時間が決定される（さらに時間編集画面１４が閉じられる）。
【００４３】
制御時刻決定部３５は、開館時刻又は閉館時刻に対する相対時間の加算又は減算によって各照明制御工程の制御予定時刻１２２を決定する。例えば、図５の設定では、制御時刻決定部３５は、閉館時刻２０時００分から相対時間３０分を減算して１９時３０分を制御予定時刻１２２として決定する。
【００４４】
制御内容設定部３３による制御内容１２３の設定（図４）、相対時間設定部３４による相対時間の設定（図５）及び制御時刻決定部３５による制御予定時刻１２２の決定によって、制御情報出力部３２は、図３Ｂに示すように、表１２Ｂの閉館前２に関して制御予定時刻１２２に「１９時３０分」を出力し、制御内容１２３ａの制御１に「個別回路（１−１−２）ＯＦＦ  看板消灯」を出力する。
【００４５】
その他の欄についてそれぞれ同様の手順で設定がなされた結果としての管理画面１２の一例を図３Ｃに示す。この管理画面１２の設定によると、開館前１（開館１０分前：０７時５０分）に、制御１によって体育館内照明の全消灯強制パターンがオフされ、制御２によって外灯が消灯される。なお、全消灯強制パターンがオンである間は、どのような操作（手動操作等）がなされたとしても全灯消灯が維持される。言い換えると、開館前の制御１以降に全消灯以外の制御も可能となる。また、外灯は明るさセンサによって点消灯制御されるものであってもよく、この場合の「外灯消灯」とは、外灯の実際のランプ消灯ではなく主電源オフを意味することになる。したがって、外灯は制御２の実行以前に明るさセンサの作用によってランプ消灯し得る。開館時（０８時００分）に、看板が点灯開始される。
【００４６】
閉館前１（閉館１時間前：１９時００分）に、外灯が点灯される。閉館前２（閉館３０分前：１９時３０分）に、上述したように看板が消灯される。閉館時刻（２０時００分）には、貸出中止動作が開始される。この貸出中止とは、閉館時刻に（後片付け等のために）体育館内照明を一部だけ残して消灯又は調光し、その後の所定時間経過後に全灯を消灯させる等の一連の照明制御のことを示す。ただし、閉館時に貸出中止が設定されている場合であっても閉館時刻を超えるような時間設定の貸出が（例えば、閉館時刻間際に）行われた場合には、貸出中止処理の開始が遅延されるようにしてもよいし、上記の所定期間が短縮されるようにしてもよい。この場合、例えば、１９時１５分に６０分の貸出が開始された場合に、貸出中止処理の開始が２０時００分から２０時１５分に繰り下がるようにしてもよいし、２０時００分に貸出中止処理が開始されて上記所定期間が（例えば１５分間だけ）短縮されるようにしてもよい。なお、開館時に、貸出開始に関する一連の照明制御（例えば、一部点灯から全点灯に移行する照明制御）が設定される場合もある。閉館後２（閉館１時間後：２１時００分）に、制御１によって体育館内照明の全消灯強制パターンがオンされる。
【００４７】
操作ボタン群１２Ｃについて説明する。操作ボタン群１２Ｃは、編集ボタン１２４、削除ボタン１２５、休日表示ボタン１２６、保存ボタン１２７及び戻るボタン１２８を含む。例えば、これらのボタンは、空白のボタンを含めて、キーボード上のファンクションキー（Ｆ１〜Ｆ１２）に対応する。この場合、編集ボタン１２４はＦ１に、削除ボタン１２５はＦ２に、休日表示ボタン１２６はＦ１０に、保存ボタン１２７はＦ１１に、戻るボタン１２８はＦ１２に対応する。
【００４８】
上述したように、制御予定時刻１２２のいずれかが選択された状態で編集ボタン１２４がクリックされると、選択された欄に対応する時間設定画面１４が呼び出される。また、制御内容１２３のいずれかが選択された状態で編集ボタン１２４がクリックされると、選択された欄に対応する設定編集画面１３が呼び出される。制御予定時刻１２２又は制御内容１２３が選択された状態で削除ボタン１２５がクリックされると（複数選択も可能である）、選択された欄のデータが削除される。また、制御予定時刻１２２が選択された状態で削除ボタン１２５がクリックされるとその行の制御内容１２３のデータも削除されるようにしてもよい。休日表示ボタン１２６がクリックされると、後述する休日表示／設定画面が呼び出される。保存ボタン１２７がクリックされるとクリック時点での表１２Ａ及び１２Ｂの設定内容が記憶部４０に記憶される。戻るボタン１２８がクリックされると、管理画面１２が閉じられて元の画面が呼び出される。
【００４９】
このように、管理画面１２の表示によって、各日付期間における照明制御スケジュールの一覧性が得られるとともに容易な設定操作の誘導が可能となる。なお、上記においては、１つの照明制御工程１２２に対して、設定編集画面１３上で制御内容１２３を設定した後に時間設定画面１４上で相対時間（結果として制御予定時刻１２２）を設定する例を示したが、時間設定画面１４上で相対時間を設定してから設定編集画面１３上で制御内容１２３を設定することもできる。
【００５０】
ここで、制御内容設定部３３は、選択された日付期間（本例では季節２）に対して設定した制御内容１２３を残余の日付期間（本例では季節１、３及び４）における対応の照明制御工程に制御内容１２３として反映させる。また、制御時刻決定部３５は、時間設定画面１４で設定された相対時間を用いて、選択された日付期間（本例では季節２）だけでなく残余の日付期間（本例では季節１、３及び４）における対応の照明制御工程の制御予定時刻１２２を演算及び決定する。すなわち、図３Ｃの管理画面１２は季節２に対応するものであるが、新たな入力作業を必要とせずに、季節１、３及び４についての管理画面１２（表１２Ａ及び１２Ｂ）が作成される。
【００５１】
図３Ｄは季節３に対応する管理画面１２であり、これは季節２に対する設定処理の結果として得られるものである。図３Ｃ及び図３Ｄから分かるように、制御内容設定部３３の作用により、両図における制御内容１２３は同一である。季節３では開始時刻が８時３０分であることから、制御時刻決定部３５は、開館前１の制御予定時刻１２２を相対時間「１０分前」に従って８時２０分に決定する。同様に、季節３では閉館時刻が１９時３０分であることから、制御時刻決定部３５は、閉館前１、閉館前２及び閉館後２の制御予定時刻１２２をそれぞれ相対時間「１時間前」、「３０分前」及び「１時間後」に従って１８時３０分、１９時００分及び２０時３０分に決定する。そして、日付が季節２の終了日である９月３０日（２０１６年）から季節３の開始日である１０月１日となった時点で、図３Ｃに示す照明制御スケジュールが、図３Ｄに示す照明制御スケジュールに自動更新される。
【００５２】
また、開館時刻又は閉館時刻が変更された場合に、制御時刻決定部３５は、変更後の開館時刻又は閉館時刻に対する相対時間の加算又は減算によって、各照明制御工程１２１の制御予定時刻１２２を再決定する。すなわち、ユーザが変更に係る開館時間又は閉館時間を入力するだけで、その他の入力操作を要さずに制御予定時刻１２２が再決定される。したがって、スケジュール変更時においても、ユーザにおけるスケジュール入力の労力が軽減されるとともに設定ミスが回避される。
【００５３】
また、制御情報出力部３２は、制御予定時刻１２２及び制御内容１２３の複数の組を管理画面１２に出力する場合に、管理画面１２上で制御予定時刻１２２が上部から昇順となるように制御予定時刻１２２及び制御内容１２３の組をソートするように構成されてもよい。すなわち、相対時間設定部３４による複数の相対時間の設定（図５）の結果として制御予定時刻１２２が昇順に並ばなくなるような場合には、制御情報出力部３２は、制御予定時刻１２２が上部から昇順となるように制御予定時刻１２２及び制御内容１２３の行位置を変更する。
【００５４】
例えば、管理画面１２において、開館前１の制御予定時刻１２２及び制御内容１２３に７時５０分及び制御内容Ａがそれぞれ設定された状態で、開館前２が編集対象として選択されて相対時間２０分及び制御内容Ｂが設定された場合を想定する。この場合、開館前２の制御予定時刻１２２は７時４０分と演算される。このような場合には、制御情報出力部３２は、「７時５０分」及び制御内容Ａと、「７時４０分」及び制御内容Ｂとを入れ替えて、「７時４０分」及び制御内容Ｂが「７時５０分」及び制御内容Ａよりも上の行に表示されるようにする。
【００５５】
このような制御予定時刻を昇順に並べる自動ソートによって、ユーザの入力作業における利便性が増すとともに、管理画面１２の視認性が向上する。なお、上記のように行が入れ替えられた場合に、照明制御工程１２１の欄の順序は維持されるようにしてもよいし、入れ替えられてもよい（すなわち、上記例において上から開館前１、開館前２の順に表示されてもよいし、開館前２、開館前１の順に表示されてもよい）。なお、制御番号（Ｎｏ）の順序は、各表の視認性の観点から維持されること（すなわち、常に上から昇順に表示されること）が好ましい。
【００５６】
制御信号生成部３６は、各制御予定時刻が到来すると、対応する各制御内容を実行するための照明制御信号を生成し、通信部５０はこの照明制御信号を対応の照明器具２に送信する。なお、通信部５０が各照明器具からの肯定応答（アクノリッジメント）を受信して処理部３０に伝達し、照明器具２が正常に点灯したことを処理部３０が表示部１０に表示するようにしてもよい。
【００５７】
休日表示設定部３７は、施設（体育館）の非利用日を示す休日表示／設定画面を表示部１０に出力し、ユーザ入力に基づいて施設の非利用日（休館日）を設定する。なお、デフォルト設定として、日曜日及び祝日が非利用日に設定されていてもよい。
【００５８】
図６に、休日表示／設定画面１５の一例を示す。休日表示／設定画面１５は、例えば、管理画面１２（図３Ａ〜図３Ｄ）の休日表示ボタン１２６の選択によって呼び出される。休日表示／設定画面１５は、年間カレンダー１５０、前年ボタン１５１、当年ボタン１５２、翌年ボタン１５３、休日設定ボタン１５４、休日解除ボタン１５５、保存ボタン１５６及び閉じるボタン１５７を有する。
【００５９】
図６に示す例では、年間カレンダー１５０において、縦軸を月、横軸を曜日として、１年間の月日が行列状に表示され、日曜日及び祝日（濃い色、太字のマス）が非利用日に設定され、その他の日（薄い色、細字のマス）が利用日に設定されている。ユーザは休日表示／設定画面１５上で非利用日を任意に設定又は解除することができる。また、休日表示／設定画面１５は、年間カレンダー表示ではなく、非利用日のリスト表示を有していてもよい。
【００６０】
前年ボタン１５１又は翌年ボタン１５３がクリックされると、休日表示設定部３７は、それぞれの年の年間カレンダー１５０を出力する。記憶部４０は過去の複数年及び将来の複数年について年間カレンダー１５０を記憶しているものとし、休日表示設定部３７は、前年ボタン１５１又は翌年ボタン１５３のクリック数に応じた年数分だけ過去又は将来の年間カレンダー１５０を呼び出すことができる。当年以外の年間カレンダー１５０が表示された状態で当年ボタン１５２がクリックされると、休日表示設定部３７は、当年の年間カレンダー１５０を出力する。
【００６１】
年間カレンダー１５０上でいずれかの利用日が選択された状態で、休日設定ボタン１５４がクリックされると、休日表示設定部３７はその選択された日を非利用日に設定する（マスの色又は文字の色若しくは太さを変更する）。例えば、施設定休日（毎週月曜日等）、施設メンテナンス日等が非利用日に設定されてもよい。逆に、年間カレンダー１５０上でいずれかの非利用日が選択された状態で、休日解除ボタン１５５がクリックされると、休日表示設定部３７はその選択された日を利用日に設定する（マスの色又は文字の色若しくは太さを変更する）。例えば、当初の非利用日が、イベント用に利用日に設定され得る。なお、日の選択について、１回の選択において複数の日が、列、行又は範囲において選択され得る。
【００６２】
保存ボタン１５６がクリックされると、休日表示設定部３７は、その時点での年間カレンダー１５０の設定を記憶部４０に記憶させる。閉じるボタン１５７がクリックされると、休日表示設定部３７は、休日表示／設定画面１５を閉じる。
【００６３】
なお、休日表示／設定画面１５には、休日表示設定部３７によって実行される種々の機能又はそれに対応する操作ボタン等が適宜付加されてもよい。例えば、年間カレンダー１５０において、運用設定画面１１において設定された季節１の開始日の属する月が最上行に表示されるようにしてもよい。本例では、季節１の開始日である４月１日が属する４月が最上行に配置されることになる。これにより、運用設定画面１１で設定された日付期間と休日表示／設定画面１５で設定される非利用日との関係の把握が容易となる。
【００６４】
また、年間カレンダー１５０において、運用設定画面１１で設定された日付期間（本例では季節１〜季節４）に対応する部分、すなわち、それぞれの日付期間に含まれる利用日の集合が相互に異なる色で表示されるようにしてもよい。これにより、運用設定画面１１で設定された日付期間と休日表示／設定画面１５で設定される非利用日との関係の把握がさらに容易となる。また、日付期間が異なっていても施設運用時刻（開館時刻及び閉館時刻）が同一の場合には、その日付期間の利用日は同一の色で表示されてもよい。例えば、季節１〜季節４が設定されており、季節１と季節３における開館時刻及び閉館時刻が同一の場合には、季節１及び季節３の利用日が第１の色で表示され、季節２の利用日が第２の色で表示され、季節４の利用日が第３の色で表示される。これにより、日付期間に対する照明制御の同異の把握が容易となる。また、当日が他の日と異なる態様（異なる色、点滅等）で表示されるようにしてもよい。
【００６５】
また、当日が属する月に対して１２カ月先までのカレンダーを年間カレンダー１５０として表示させる機能が設けられてもよい。この場合、例えば当日が２０１６年１０月１０日である場合には、２０１６年１０月〜２０１７年９月のカレンダーが表示される。これにより、現在から将来にかけてのスケジュールの一覧性が向上する。あるいは、当日が属する月を中央行付近（例えば、上から６行目付近）に配置されたカレンダーを年間カレンダー１５０として表示させる機能が設けられてもよい。この場合、例えば、当日が２０１６年１０月１０日である場合には、２０１６年５月〜２０１７年４月のカレンダーが表示される。これにより現在を中心とした過去から将来にかけてのスケジュールの一覧性が向上する。また、年間カレンダー１５０を画面縦方向に任意の行数（すなわち、任意の月数）だけスクロールさせるためのスクロールバー又は三角形若しくは矢印形のアイコンが設けられてもよい。
【００６６】
また、本実施形態では、年間カレンダー１５０の横軸は曜日であるが、横軸が日（１〜３１日）である形態も可能である。この場合、年間カレンダー１５０の各マスには曜日が表示される。この形態によると、例えば施設の定休日が毎月の固定日（毎月５日、１５日及び２５日等）であるような場合に、年間カレンダー１５０の視認性が増す。
【００６７】
ここで、非利用日に対しては、照明制御が行われない設定としてもよいし、非利用日用の照明制御のスケジュールが設定されるようにしてもよい。言い換えると、図３Ｃ及び図３Ｄに示すスケジュールによると、非利用日スケジュールが設定されない場合には、非利用日前日の閉館後２の体育館全消灯強制パターンＯＮからその非利用日翌日の開館前１の体育館全消灯強制パターンＯＦＦまでの間は体育館照明を一切使用できない。これにより、無駄な点灯が回避される。一方、非利用日スケジュールが設定される場合には、上記の強制パターンを解除して必要に応じた照明制御を可能とすることができる。
【００６８】
非利用日用のスケジュールが設定される場合、例えば、通年で同じスケジュールが採用され得る。これに関して、施設運用設定部３１が、非利用日における所定時刻をユーザ入力に基づいて設定し、制御内容設定部３３が、所定時刻に実行される制御内容をユーザ入力に基づいて設定する。そして、制御情報出力部３２は、所定時刻並びに制御内容を表示部１０に出力する。具体的には、非利用日用のスケジュールの一例として、第１の所定時刻（例えば、８時００分）に体育館照明の全消灯強制パターンがＯＦＦされ、第２の所定時間（例えば、１８時００分）に体育館照明の全消灯強制パターンがＯＮされる。例えば、非利用日に保守点検作業等が行われる場合には、非利用日であっても照明の点消灯が操作可能となる。これにより、非利用日において体育館が実際に利用されない場合には消灯状態が維持され、保守作業等が行われる場合には照明を点灯させることが可能となる。
【００６９】
このように、非利用日の設定により無駄な点灯状態が回避され、さらに、非利用日用の照明制御のスケジュールが設定されることにより柔軟な照明の利用が可能となる。
【００７０】
以上のように、実施形態による照明制御システム１は、施設運用に関する複数の日付期間（季節１〜季節４）及びその複数の日付期間の各々に対する施設運用時刻（開館時刻及び閉館時刻）をユーザ入力に基づいて設定する施設運用設定部３１と、選択された日付期間について施設運用時刻の前又は後に実行される照明制御工程の制御内容をユーザ入力に基づいて設定し、その制御内容を残余の日付期間における対応の照明制御工程に反映する制御内容設定部３３と、上記選択された日付期間について施設運用時刻に対する照明制御工程実行の相対時間をユーザ入力に基づいて設定する相対時間設定部３４と、日付期間のすべてについて施設運用時刻に対する相対時間の加算又は減算によって照明制御工程の制御予定時刻を決定する制御時刻決定部３５と、制御予定時刻において、制御内容を実行するための照明制御信号を生成する制御信号生成部３６を含む。
【００７１】
このように、日付期間、施設運用時刻、並びに日付期間のいずれかにおける各照明制御工程の制御内容及び相対時間（施設運用時刻と制御予定時刻の差分）をユーザが入力するだけで、すべての日付期間に対するスケジュール入力が完了する。言い換えると、ユーザが時刻を入力する必要があるのは運用設定画面１１だけである。したがって、ユーザにおける照明制御のスケジュール入力の労力を軽減するとともに設定ミスを抑制する照明制御システム１が実現される。
【００７２】
＜プログラム等＞
なお、上述した実施形態における照明制御システム１（処理部３０）を実現する各構成要素は、記憶部４０に記憶された照明制御プログラムが動作することによって実現される。
【００７３】
また、本発明は、上記実施形態の機能を実現するソフトウェアのプログラムが、照明制御システム１（処理部３０）に直接に、又は遠隔から供給される場合も含む。したがって、本発明の機能処理を実現するために、照明制御システム１にインストールされるプログラムコード自体も本発明に含まれる。すなわち、本発明には、本発明の機能処理を実現するためのコンピュータプログラムも含まれる。そのプログラムは、コンピュータを、上記の施設運用設定部３１、制御情報出力部３２、制御内容設定部３３、相対時間設定部３４、制御時刻決定部３５、制御信号生成部３６、休日表示設定部３７及び計時部３８の全部又は一部として機能させることができる。このように、本発明は、上記実施形態に示したような作用効果をソフトウェアの導入によって実現できるので、照明制御システム１の導入容易性を向上することができる。
【００７４】
上記プログラムがインターネットからダウンロードされるようにしてもよい。この場合、ブラウザ機能によってインターネットのホームページに接続された照明制御システム１に、そのホームページから上記コンピュータプログラム又は圧縮され自動インストール機能を含むファイルがハードディスク等にダウンロードされる。
【００７５】
上記プログラムを記憶したコンピュータ可読記憶媒体も本発明に含まれる。プログラムが記憶媒体によって供給される場合は、その記憶媒体は、フレキシブルディスク、ハードディスク、光ディスク、光磁気ディスク等であればよく、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）等であってもよい。
【００７６】
＜変形例＞
以上に本発明の好適な実施形態を示したが、本発明は、例えば以下に示すように種々の態様に変形可能である。
【００７７】
（１）施設運用時刻の設定
上記実施形態では施設運用時刻として運用開始時刻（開館時刻）及び運用終了時刻（閉館時刻）が設定される構成を示した。一方、運用時間が比較的短い照明の制御（例えば、屋外施設のナイター照明等）については、運用開始時刻又は運用終了時刻のいずれか一方が施設運用時刻として設定される構成としてもよい。
【００７８】
（２）期間の分割態様
上記実施形態では各日付期間が隣接する構成を示したが、ある日付期間が他の日付期間に包含される設定が可能な構成としてもよい。例えば、季節１が４月１日〜９月３０日に設定され、季節２に６月１日〜７月３１日が設定されてもよい。この場合、包含された側の季節（季節２）の照明制御が、包含する側の季節（季節１）の照明制御に優先されるように構成することができる。これにより、４月１日〜５月３１日及び８月１日〜９月３０日においては季節１に対応する制御が実行され、６月１日〜７月３１日においては季節２に対応する制御が実行される。
【００７９】
（３）それぞれの画面間の関係
上記実施形態では運用設定画面１１、管理画面１２、設定編集画面１３、時間設定画面１４及び休日表示／設定画面１５をそれぞれ個別のウィンドウとして示したが、これらの一部は同じウィンドウ上に表示されてもよい。例えば、設定編集画面１３及び時間設定画面１４の双方が１つのウィンドウ上に表示されるようにしてもよい（この場合、テンキー部は１つでよい）。また、上記実施形態では、管理画面１２と設定編集画面１３との間及び管理画面１２と時間設定画面１４との間で設定動作が移行する構成を示したが、設定編集画面１３と時間設定画面１４との間で設定動作が移行するようにしてもよい。
【符号の説明】
【００８０】
１  照明制御システム
２、２−１〜２−ｎ  照明器具
１０  表示部
２０  入力部
３０  処理部
３１  施設運用設定部
３２  制御情報出力部
３３  制御内容設定部
３４  相対時間設定部
３５  制御時刻決定部
３６  制御信号生成部
３７  休日表示設定部
３８  計時部
４０  記憶部
５０  通信部
【図１】
2018063849.tif 000003
【図２】
2018063849.tif 000004
【図３Ａ】
2018063849.tif 000005
【図３Ｂ】
2018063849.tif 000006
【図３Ｃ】
2018063849.tif 000007
【図３Ｄ】
2018063849.tif 000008
【図４】
2018063849.tif 000009
【図５】
2018063849.tif 000010
【図６】
2018063849.tif 000011